【手続補正書】
【提出日】平成21年3月19日(2009.3.19)
【手続補正１】
【補正対象書類名】明細書
【補正対象項目名】全文
【補正方法】変更
【補正の内容】
【発明の詳細な説明】
【発明の名称】非常時避難装置
【技術分野】
【０００１】  本発明は、津波や洪水、土石流や土砂崩れなどの非常時に迅速かつ安全に避難することのできる非常時避難装置に関する。
【背景技術】
【０００２】  地盤にコンクリート基礎を設け、同基礎の３点からそれぞれ支柱を立ち上がらせるとともに、これら支柱の高さ方向途中を連結梁で固定し、さらに支柱上部を内側避難ステージ受枠で連結固定し、同受枠の外側に外側避難ステージ受枠を設けて、外側避難ステージ受枠回りに落下安全ガードを立設した津波避難装置がある。そして、内外避難ステージ受枠上には避難ステージが設けられ、地盤側から登降手段により避難者を避難ステージへ避難させ得るようになっている。
【発明の開示】
【発明が解決しようとする課題】
【０００３】  この避難装置は、津波避難用タワーとも称するのであるが、これまでは同タワー全体が全て金属製で、例えば、支柱は鉄骨丸パイプ、連結梁や内外の避難ステージ受枠も鉄骨製であり、さらに落下安全ガードや避難ステージ並びに登降手段（階段）も全て金属製で露出したものになっている。このように全てが金属製であると、剛強さは感じられるもののタワーの設置される周囲の木造住宅と相調和しにくく、違和感が残ることからその対策が望まれていた。
上記に鑑み、本発明は、周囲の住宅等の建物と相調和したものとして設置することのできる非常時避難装置を提供することにある。
【課題を解決するための手段】
【０００４】  上記課題を解決するため、請求項１記載の発明は、地盤側から立ち上がる複数本の支柱と、これら支柱の上部に設けられる避難ステージを下から支える避難ステージ受枠と、避難ステージの外周囲を取り囲む落下安全ガードと、地盤側から避難ステージへ避難者を避難させ得る登降手段とを備え、これら少なくとも支柱・避難ステージ受枠・落下安全ガードが金属製である非常時避難装置であって、少なくとも前記避難ステージ・支柱・落下安全ガードの表面が木調仕上げになっていることを特徴とする。ここに木調とは、自然木は勿論、表面を木調とした樹脂板、木調擬似モルタルなど他の材質によるものも含み、また、木調シートあるいはフィルム（木材に木調シートやフィルムを貼ったものを含む）も含む。自然木とは、樹皮付きのもの、製材工程を経たもの（集成材を含む）、粉砕された微細木粉をコンパウンドで固結したもの、木目を活かすべく表面を焼成したものなどすべてを含む（以下同じ）。
請求項２記載の発明は、請求項１記載のものにおいて、登降手段も木調仕上げになっている。登降手段を階段とした場合、その階段構造体そのものを木材や木調樹脂板で仕上げたものも含まれる。
【発明の効果】
【０００５】  本発明によれば、周囲の住宅等の建物と相調和したものとして設置することのできる非常時避難装置を提供することができる。
【発明を実施するための最良の形態】
【０００６】  以下の各実施形態で説明する個々の提案例は他の実施形態にも適用されるものとする。  図１ないし図６は、本発明に係る非常時避難装置の一実施形態を示し、図１は図２のＩ−Ｉ線に沿った平面図、図２は図１の避難装置の正面図、図３は図２のＩＩＩ−ＩＩＩ線断面図、図４は図２のＩＶ−ＩＶ線断面図、図５は図６の右側面図、図６は図５のＶＩ−ＶＩ線断面図である。【０００７】  これらの図において、１はコンクリート基礎で、その上に一体の据付ブロック２…が平面正三角形頂点位置に対応して配備されている。これらのブロック２…にはコンクリート基礎１からのアンカーボルト（図示省略）がそれぞれ複数本突き出している。【０００８】  ３は支柱で、同支柱３は、ここでは丸鋼管パイプ製でメッキ処理したものになっているが、角パイプやＨ型鋼やアングル鋼などでもよい。また、同支柱３は、それぞれが１本ものになっているが、各支柱３が複数部材の組み合わせによるものでもよい。例えば、４本の細目の丸パイプを合わせて１本化したものなどである。支柱３の本数は３本に限定されず４本以上でもよい。２本の場合もある。
支柱３は、下端に取付座４を備えていて、前記アンカーボルトに連結されるようになっている。
また、支柱３のうち津波の襲来してくる側に先行した位置には、支柱３から少し離れて、同じく丸鋼管製の予備防御材５が垂直に立てられており、この防御材５は船舶や大木などの漂流物が直接支柱３に当たって損傷や衝撃を与えないようにするためのものである。【０００９】  この支柱３は、津波の襲来想定高さより１ｍ以上高いものとされるとともに、その高さ方向途中には、図２および図４に示すように、Ｈ型鋼でなる中段横連結梁６が横架一体化されている。この梁６は、図示では１本もので示してあるが、横架する一方と他方の支柱３から短い基部Ｈ型鋼を突設しその間に長い梁を連結してなるものである（以下の梁も同様のものがある）。【００１０】  前記支柱３の上端には、図３に破線で示すように、相互間をつなぐ内側避難ステージ受枠８が一体化されるとともに、その外側には、補強受材９を介して外側避難ステージ受枠１０が一体化されている。これらの避難ステージ受枠８，１０や補強受材９…などを底受け材として上面に避難ステージ１１が搆成され、この避難ステージ１１は、例えば、国産の木材に基づくデッキ材を敷設することを原則としてその全体が木調仕上げになっているが、外材を使用してもよいことは勿論である。【００１１】  前記避難ステージ１１をステージ床材１２…に取り付けるには、例えば、図３に破線で示すように内側避難ステージ受枠８と外側避難ステージ受枠１０および前後の補助受材９で囲まれた個所についていえば、その枠内に沿って木材による内添材１３を横ボルトなどの止着具により固定しておき、その上面を利用して前記各ステージ床材１２を上からの止着具（ボルトやスクリュウネジなど）により固定するようにする。図３では他の個所についても同様の方法で取り付ける。【００１２】  また、これらステージ床材１２…は、図５に示すように、互いの間に若干の隙間１４を空けて敷設しておけば水抜きができて避難時に好ましい床面状態を提供することができるし腐食も抑えることもできる。この場合、図７の右上欄に示すように、ステージ床材１２の角に面取り１５や丸取りをしておけば、水抜き効率が上がる。
さらに、ステージ床材１２…は、その長手方向を少しの傾斜を持たせておけば雨水の排除が促進されて溜まるおそれがない。幅方向に向けて傾斜させることもできる。勿論なと幅方向の複合方向に傾斜させることもできる。【００１３】  図５に示すように、前記ステージ床材１２の底面には、隙間１４に対応するように発泡スチロールなどの底パッキン１６…を配備しておけば雨水が図に直交する方向に流れて下へ落ちるおそれが少なく、しかも、同パッキン１６でステージ床材１２を浮力かしておけばステージ床材１２それ自体が腐るおそれがなくなる。このパッキン１６は、右欄図のようにその上面に切り溝１７を形成しておけばパッキン１６の上面を雨水が流れたとしてもその途中でこの水１７に捉えられて溝長手方向に流すことで下へ落ちるおそれがなくなる。【００１４】  また、図５の左下欄図のように、リップ付き溝型鋼をパッキン材１８とすればその溝内が雨水の通過空間となって落とすことなく外側まで導くことができる。
さらに、図５の下欄中央に示すように、ステージ床材１２を段差組み込み方式としてステージ床材１２間にコーキング１９を埋着しておけば雨水の落下は阻止される。また、図５の最も下欄に示すように、ステージ床材１２を段差組み込み方式にしてその段差係合面間を凹凸部ａ、ｂで合わせるようにすれば、凹部ｂに添って雨水が流れるようになる。【００１５】  さらに、ステージ床材１２については、図６のように外側避難ステージ受枠１０の内側に添って配した内添材２０上にやや浮かせた状態で差入れ固定材２１を配備しておいて同ステージ床材１２…を次々に差し込んでゆき固定材２１で押さえ付けて固定するようにしてもよい。ステージ床材１２の他端は、押付け固定材２２で固定するようにする。なお、仮想線で示すように、ステージ床材１２の長手方向中途上には、反り上がり防止材２３を付加してもよい。前記ステージ床材１２の上面には、腐食防止のため塗装を施すことがある。【００１６】  図２および４において中段横連結梁６の水平向きの外面には、それがＨ型鋼のような場合、溝内に嵌るような（図８参照）凸型木調外装材２５を張り付けることがある。この場合、図２のようにコーチスクリュウのような止着具２６により裏側から固定してもよいし、通しボルトで固定するようにしてもよい。中段横連結梁６（内側避難ステージ受枠８・外側避難ステージ受枠１０なども含む）は、Ｈ型鋼以外に箱型鋼やアングル鋼、丸鋼管などでもよい。横連結梁６の上面や底面などの他の外面にも木調材を張り付けることがある。底面の木調材については補強斜材２７のあるところはそれを避けるように切欠き状にした木調材で対処する。【００１７】  支柱３や予備防御材５回りについては、丸太木材にぐるりに巻いたり、図４の右下欄に示すように、角材２９…を巻いたりしてもよい。これらの場合、ワイヤ３０をぐるりに回して止着具３１で打ち込み固定してゆく方法で固定したり、支柱３や予備防御材５の表面に予めアンカー３２を立てておき、ナットで締め付け固定するようにしてもよい。【００１８】  ３４は下部階段本体、３５は下部階段側桁、３６は下部階段手摺であり、３７は踊り場、３８は踊り場側桁、３９は踊り場手摺を示し、さらに４０は上部階段本体、４１は上部階段側桁、４２は上部階段手摺をそれぞれ示す。これらのメンバーについても木調仕上げとする。そのため、例えば、図２に示すように、上部階段本体４０の踏み面や蹴込面の表面には薄板の木調仕上げ材４３を張り付けてスリップ防止作用ももたせるものとする。上部階段側桁４１の側面にも切欠溝付きの側面木調仕上げ材４４を張り付けるものとする。上部階段手摺４２についても図示していないが木調仕上げとする。階段（登降手段）のほかの個所である、下部・踊り場も同様に木調仕上げを統一して施す。木調はタワー全体として統一感をもたせることは勿論である。
なお、図４に仮想線で示すように、下部階段や上部階段の中途には、手摺部分を介して回転あるいは変曲自在な一部対向板４５を上下数段に記してもよい。この一部対向板４５は、登降する人の下方ｋらの覗きを防止するために機能する。また、図４に仮想線で示すように、階段の一部を直線状でなく一部鉤型部分４６として変曲させたものにして上記覗き対策としてもよい。【００１９】  ２階部分については、図４に仮想線で示すように、中段横連結梁６間に補強受材を配備するなどして簡易トイレ４７や備蓄用の収納庫４８を載置固定して踊り場３７の一側開放部からそれらを利用できるようにしてもよい。２階部分には、全面的に木調避難ステージを構成してもよい。【００２０】  タワー上部においては、図１、図２に示すように、上部階段の上位スペースを利用して収納ボックス４９を配してもよいし、前記避難ステージ１１には、木調の一体椅子５０や収納ボックス（備蓄倉庫）などを配してもよい。【００２１】  上部の避難ステージ１１には、支柱３をそのまま伸ばしたり図２のように支柱３よりもやや細目の丸パイプ製のステージ内支柱５３を３点配置して立設し、これらの間をつなぐように天梁５４を横架固定した構造物を付加することもできる。この場合、その各ステージ内支柱５３上には、避難目標誘導灯５５を装備してもよい。また、これらの構造物は全て鋼管製であるので、木調仕上げとするが。例えば、ステージ内支柱５３については、図１の左欄に示すように、半円断面形状で連続した木材で折れ曲がり可能な縦長状の木調仕上げ材５６を囲んで固定するようにしてもよい。【００２２】  また、上の天梁５４については、図１の右上欄に示すように、梁上面を露出した状態のままでそれ以外の周面を包むように木調仕上げ材５７を嵌め込み固定してもよい。前記露出しておくことで、当該上面に着雷を促し、ステージ内支柱５３や支柱３を通じてアースされるようにすることができる。この場合、図２に示すように、支柱３に導電中継板５８を取り付けておき、アース線５９を地盤内に導くようにしてもよく、また、右側支柱３のように支柱３内にそうした中継板５８とアース線５９を設けてアースするようにすることもできる。その他の着雷のため、屋上手摺（落下安全ガード）６１に避雷針６２を立設してもよい。尚、天梁５４は、図２の仮想線のように避難者より少し高い１８０ｃｍ前後にすれば避難が楽になる。また、補強斜材２７にも三角形をした木材をサンドイッチ式に合わせるなどして木調仕上げを施すものとする。【００２３】  屋上手摺（落下安全ガード）６１や外側避難ステージ受枠１０に対するより具体的な木調仕上げ方法を図７および図８に示す。すなわち、Ｈ型鋼でなる外側避難ステージ受粋１０の外側には、それに嵌り合う形をした木調仕上げ材６５を止着具６６により固定し、手摺６１の上桟６７に上部木調仕上げ材６８を被せ付ける。上部木調仕上げ材６８は同図右上欄のように着雷を可能にするよう上桟６７を露出させるＵ字溝状のものにすることができるが、この場合、さらに右図のように縦桟６９に対する切欠７０付きの上部木調仕上げ材７１とすることができる。手摺支柱７３回りにも木調仕上げ材７４を付すとともに、縦桟６９…にも木調仕上げ材を��すものとする。【００２４】  手摺６１の下桟７５にも下部木調仕上げ材７６を付すとともに、外側避難ステージ受枠１０上にも梁上仕上げ材７７を木調で配すものとする。
尚、図８に仮想線で示す下板７９は上のステージ床材１２が腐っても同床材１２や避難した人が落ちないようにするための補助板である。
また、図８の左上欄に示すように、ステージ床材１２は、内部にヒーター８０付きのものにして寒冷地にタワーが設置されて場合にも氷結なく安全に避難できるようにすることができる。このヒーター８０は通常電源によるもの以外にソーラーや風力発電などを電源として利用することができる。８１は欄干である。【００２５】  図９は他の実施形態を示す。
非常時避難装置は、内部は丸鋼管であるが外装を木調仕上げとした支柱８２の複数本を同じく木調仕上げの横連結梁８３で２階および屋上部分で連結し、屋上の横連結梁８３（図示省略）の外回りに外側避難ステージ受枠８４を設けてこれも木調仕上げとするとともに、階段８５も木調としたものである。【００２６】  横連結梁８３・外側避難ステージ受枠８４・階段８５は内芯が構造材である鋼製である。さらに、外側避難ステージ受枠８４内のスペースを避難ステージ８６として木質のステージ床材８７…を敷設しその外周りに木調仕上げの（落下安全ガード）手摺８８を立設配備したものである。この手摺８８は１．８〜２ｍ前後と高くされている。次のテント装置９２を伸展させて使用する際に避難者がその下の避難ステージ８６上で通常姿勢で歩くのみ支障がない充分な高さに設定されている。
尚、８９はステージ内支柱、９０は天梁で、これらも内芯は鉄骨製でそれを木調仕上げとしてある。【００２７】  前記テント装置９２は、手摺８８の平面形状より少し広く形成したテント幕９３をタワー外の１辺の延長線上２箇所に固定した受けブラケット９４間に渡架した巻き軸９５周りに巻きまわして脱着自在な止めリング９６により弾発的に止め付けておき、使用時は樹脂製止めリング９６をその弾性に抗して拡げて外し幕９３の一端を避難ステージ８６側へ引き寄せて手摺８８の全面上に広げるようにしたものである。テント幕９３には外周縁に止め孔（結び紐付きにしてもよい）９７が設けられているので、それを介して手摺８８の全周にわたって止め付けるようにする。テント幕９３自体のバタツキを押さえるため、同幕９３内に補強芯条を平行状あるいは交差状に通しておいてもよい。また、天梁９０へ止め付け得るようにテント幕９３の裏面に結ぶ紐を備え付けておいてもよい。尚、テント幕９３は巻き取り装置９１により電動で巻き取り可能であるが、手動巻取り方式にしてもよい。手動の場合、避難ステージ８６内に巻き取りレバーを設定し、同レバーを回転操作するとギアやベルト等の伝導により前記巻き軸が回転連動するように構成すれば操作が安全になる。巻き軸９５は、図示よりも少し天梁９０寄り、すなわち、避難ステージ８６の面上にくるように設定してもよい。【００２８】  中央のステージ内支柱８９および天梁９０で構築されたフレーム上にテント幕９９を伸展可能なように同フレームの天梁９０の一辺に沿って巻き軸を設けて受けブラケット１００で支持し、同巻き軸周りにテント幕９９を巻きつけておくようにしてもよい。１０１は手動レバーであるが電動式にしてもよい。【００２９】  尚、前記テント幕９３，９９は１枚ものであったが、これを複数分割型にしてもよい。例えば、図９のテント幕９３を左幕と右幕とに分けて独立して操作可能にしてもよい。また、図９のテント幕９３の半分など一部のみで構成してもよい。
さらに、テント装置９２には、収納ケース９８を設けて保護するようにしてもよい。
また、付加的な提案例であるが、図９に仮想線で示すように、支柱８２を利用してその外側に鳥居の反増に相当する反り上がり１０３を付加してもよい。この場合、反り上がり１０３を別途支持する補助支柱１０４を設けてもよい。【００３０】  図１０および図１１は付加的な提案例を示し、同例は、反応槽から最終沈澱池などへの流入水１０６のエネルギーを利用して横軸式でドラム型の水車１０７を連続回転させ、その回転力を駆動プーリー１０８からベルト１０９を介して従動プーリー１１０へ伝達して発電機１１１を駆動し電力を発生するようにしたものである。１１２は流入口である。【００３１】  発電機１１１からの電力は、制御盤１１３を通じて沈澱池上の駆動装置（減速機付きモーター）１１４を駆動させ、同装置１１４の駆動プーリー１１５の動力は、沈澱池内のアイドルプーリー１１６およびリンクチェーン１１７を介して池底上の汚泥掻寄装置１１８を前後に往復駆動させるために利用される。１１９は池底上に固定設置されたガイドレール、１２０は同ガイドレール１１９上で進退する機体、１２１は走行輪、１２２は前後複数枚の汚泥掻寄スクレーパである。
尚、本例は、曝気槽その他への流入水を導入する段階においても適用することができる。また、図１０の右下欄に示すように、図の向こう側から流れ来るようにした流入水路（流入渠）１２４内に、上からみてコの字枠状の水落口用仕切板１２５を縦置き設置して矢印Ｘのように流入水路１２４内の汚水が流れ込むようにし、その流れ込み個所に対応して水車１２６を横軸周りに回転するように設置して連続回転させ、その回転力を駆動プーリー１２７からベルト１２８を介して従動プーリー１２９へ伝達して発電機１３０を駆動し電力を発生するようにしたものである。１３１は制御盤、１３２は駆動装置、１３３は昇降により開閉可能なゲート、１３４は整流板である。
さらに、前記実施形態では水流を利用して発電機を回転させて駆動モーターを作動させるようにしていたが、水車の回転から直接、駆動減速機を回転させることも可能である。【００３２】 図１２ないし図１５は、津波（あるいは洪水や土石流など）避難用施設に関するもので、同施設は、４本の丸パイプ（あるいは図示しない角パイプ）製支柱２７０…を基礎コンクリート２７１の矩形頂点位置に対応する４点から垂直かつ平行に立設固定し、同支柱２７０の２階部分と３階である屋上部分をＨ鋼などの横連結材２７９により連結固定するとともに、屋上では、図１２に破線で示すような前記横連結材２７９とそれに組み合わさるステージ床材２７２…などにより支柱２７０の構成する面積よりも張り出し状に広くした避難ステージ２７３を形成したものである。【００３３】 ２７４は公民館や消防署などの既設あるいは新設の建造物で、この建造物２７４の図示した海岸線側（津波Ｔの襲来してくる側）に津波避難用タワーである避難用施設Ａを隣接状に設置してある。同施設Ａは、図１４における逆サイド、すなわち、図１４における建造物２７４より左側あるいは右左双方）や図１３における横サイド（図１３における建造物２７４の左右一方あるいは両方）に設けることもあるし、例えば、建造物２７４を中心にしてその四方のうち選択する２筒所（例えば、Ｔ側と横サイドなど）など複数個所に設けることもある。
建造物２７４には外部に避難階段が設けられることが多いが、この階段や踊り場と本施設物Ａとを連絡することもある。
同施設Ａは、図１２に示すように、支柱２７０を正四角形の頂点配置にしてもよいが、この実施形態では、一辺が横に長い矩形の頂点配置にしてある。そして、その長い辺が建造物２７４の一辺と少し離間して平行になる関係にしてある。
施設物Ａは、図１から９に示す構造のものであったり、図１６から１８に示す構造のものであることもある。【００３４】 ２７５は第１階段、２７６は第２階段で、両階段２７５，２７６は踊り場２７７で通じている。これらの階段２７５，２７６は、積極的に津波の襲来を想定した強度メンバーを使用した剛強構造にすることがある。
尚、２７８は予備防護材で、丸パイプや角パイプあるいはＨ型鋼、アングル材などを使用して施設物Ａの前方に離間して固定配置されて津波（図１４の矢印Ｔ）とともに流れ来るものに伴う衝撃などからタワーを護るものである。同防護材２７８の外周にゴムなどの緩衝材を付すこともある。【００３５】 ２８０は連絡ブリッジで、同ブリッジ２８０は、避難ステージ２７３側から建造物２７４の屋上２８１へ向けて下がるように片持式に張り出して設けられている。屋上２８１へ連絡しないこともある。ブリッジ２８０の基部は、溶接により避難ステージ２７３側に一体化してもよく、同図のように連結軸２８２を介して現場組立可能に連結してもよい。また、２８３は支持ステーで、施設物Ａ側から斜め上に伸びてブリッジ２８０の中間底部に連結固定されて支持している。さらに、２８４は転動輪で、ブリッジ２８０の先端に取り付けられており、この転動輪２８４と屋上２８１面との間には少しの間隔が残された状態になっている。
尚、避難ステージ２７３は７ｍ前後の高さになっているが、その高さは設置場所の想定津波高さより１ｍ以上の余裕を持たせて設定するものである。
ブリッジ２８０は、基部を回転自在にして建造物２７４の屋上高さにマッチングするように支持ステー２８３をシリンダ方式で上下調節可能にすることがある。ブリッジ２８０は施設物Ａ側に支持されて屋上２８１の向きに伸びているが、屋上２８１などの建造物２７４側に支持されて施設物Ａの向きに伸びることもある。
また、ブリッジ２８０は建造物２７４側と施設物Ａの双方に連結されることもある。さらに、前記踊り場２７７と建造物２７４の適当階との間をブリッジ２８０で連絡することもある。この場合、建造物２７４の屋上に必ずしも連絡する必要はなく、途中階に連絡してもよい。
津波避難時には、建造物２７４から避難ステージ２７３側へ避難するか逆に避難ステージ２７３側から建造物２７４側へ避難するかは自由である。また、前記実施形態では、タワー側からブリッジ２８０を伸ばしていたが、屋上２８１側から伸ばしてもよい。前記ブリッジ２８０は階段式になっていたが、スローブ方式にしてもよい。前記支柱２７０は４本以外に２本、３本、５本、６本以上でもよい。
また、建造物２７４の屋上高さと施設物Ａの２階高さとが完全あるいは略一致する場合には、ブリッジ２８０を省略して両建物を近接配置するだけで乗り移ることが可能になる。
建造物２７４の屋上高さと施設物Ａの屋上高さとが一致する場合も同様のことがいえる。【００３６】 図１６ないし図１８は、津波避難用施設である津波タワーに関するもので、３本あるいはそれ以外の本数の支柱２８７…と、これら支柱２８７間を２階部分および屋上部分においてつなぐ横連結材２８８とを備え、屋上に避難ステージ２８９を構成して階段を通じて７ｍ前後の高さＨに避難可能にしたものであって、特に、これまでは、図１ないし図４に示す例のように、地上から２階高さまでに１本の階段を配し、２階部分から避難ステージ２８９までを他の１本の階段を配していたため、老人や障害をもつ人が避難するには傾斜がきつく避難しがたい面もあった。【００３７】 そこで、図１６ないし図１８に示すように、階段を２本でなく第１・第２・第３の３本の階段２９１，２９２，２９３でもってタワー外回りに配置して構成するとともにそれによってこれらの傾斜角を従来よりも緩徐なものとしたところに特徴をもつ。図１７の矢印Ｔは、想定される津波の襲来してくる方向であり、これに対して、第１の階段２９１は、津波により登り避難する人が流されないように施設の後回りにくるように配置してある。第２の階段２９２は、前斜め上がりになるように２本の支柱２８７間外側に設けられ、第３の階段２９３は次の支柱２８７，２８７間の外側にくるように配置されている。
尚、前記階段はスロープのみあるいは階段とスロープ併設型にしてもよい。また、図１８の右欄に示すように、手摺２９５にはガイドレール２９６を付して老人などの弱者を電動リフター２９７に搭乗させて避難させ得るようにしてもよい。
前記階段２９１，２９２，２９３は３本で、２本の支柱２８７，２８７を巻き込むように設けられているので、前方からくる津波Ｔによる抗力、特に捩りに対しての抗力が大きくなるメリットがある。
【図面の簡単な説明】
【００３８】
【図１】本発明の一実施形態を示す図２のＩＩ−ＩＩ線に沿った平面図。
【図２】図１の非常時避難装置の正面図。
【図３】図２のＩＩＩ−ＩＩＩ線断面図。
【図４】図２のＩＶ−ＩＶ線断面図。
【図５】ステージ床材の支持構造を示す断面図。
【図６】差し込み方式を採用したステージ床材構造の斜視図。
【図７】屋上手摺などを木調仕上げにした例を示す正面図。
【図８】図７のＶＩＩＩ−ＶＩＩＩ線断面図。
【図９】他の実施形態を示す斜視図。
【図１０】付加的な提案例を示す断面図。
【図１１】図１０の要部拡大斜視図。
【図１２】津波避難用施設についての他の実施形態を示す平面図。
【図１３】同施設の正面図。
【図１４】図１３のＹ−Ｙ線断面図。
【図１５】図１３のＸ−Ｘ線断面図。
【図１６】津波避難用施設についての他の実施形態を示す平面図。
【図１７】図１８のＱ−Ｑ線断面図。
【図１８】津波避難用施設の正面図。
【符号の説明】
【００３９】３…支柱  １０…外側避難ステージ受枠  １１…避難ステージ  １２…ステージ床材  ２５…木調外装材。
【手続補正２】
【補正対象書類名】図面
【補正対象項目名】図１２
【補正方法】変更
【補正の内容】
【図００１２】
2008050927.tif 000001
【手続補正３】
【補正対象書類名】図面
【補正対象項目名】図１３
【補正方法】変更
【補正の内容】
【図００１３】
2008050927.tif 000002
【手続補正４】
【補正対象書類名】図面
【補正対象項目名】図１４
【補正方法】変更
【補正の内容】
【図００１４】
2008050927.tif 000003
【手続補正５】
【補正対象書類名】図面
【補正対象項目名】図１５
【補正方法】変更
【補正の内容】
【図００１５】
2008050927.tif 000004
【手続補正６】
【補正対象書類名】図面
【補正対象項目名】図１６
【補正方法】変更
【補正の内容】
【図００１６】
2008050927.tif 000005
【手続補正７】
【補正対象書類名】図面
【補正対象項目名】図１７
【補正方法】変更
【補正の内容】
【図００１７】
2008050927.tif 000006
【手続補正８】
【補正対象書類名】図面
【補正対象項目名】図１８
【補正方法】変更
【補正の内容】
【図００１８】
2008050927.tif 000007
【手続補正９】
【補正対象書類名】図面
【補正対象項目名】図１９
【補正方法】削除
【補正の内容】
【手続補正１０】
【補正対象書類名】図面
【補正対象項目名】図２０
【補正方法】削除
【補正の内容】
【手続補正１１】
【補正対象書類名】図面
【補正対象項目名】図２１
【補正方法】削除
【補正の内容】
【手続補正１２】
【補正対象書類名】図面
【補正対象項目名】図２２
【補正方法】削除
【補正の内容】
【手続補正１３】
【補正対象書類名】図面
【補正対象項目名】図２３
【補正方法】削除
【補正の内容】
【手続補正１４】
【補正対象書類名】図面
【補正対象項目名】図２４
【補正方法】削除
【補正の内容】
【手続補正１５】
【補正対象書類名】図面
【補正対象項目名】図２５
【補正方法】削除
【補正の内容】
【手続補正１６】
【補正対象書類名】図面
【補正対象項目名】図２６
【補正方法】削除
【補正の内容】
【手続補正１７】
【補正対象書類名】図面
【補正対象項目名】図２７
【補正方法】削除
【補正の内容】
【手続補正１８】
【補正対象書類名】図面
【補正対象項目名】図２８
【補正方法】削除
【補正の内容】
【手続補正１９】
【補正対象書類名】図面
【補正対象項目名】図２９
【補正方法】削除
【補正の内容】
【手続補正２０】
【補正対象書類名】図面
【補正対象項目名】図３０
【補正方法】削除
【補正の内容】
【手続補正２１】
【補正対象書類名】図面
【補正対象項目名】図３１
【補正方法】削除
【補正の内容】
【手続補正２２】
【補正対象書類名】図面
【補正対象項目名】図３２
【補正方法】削除
【補正の内容】
【手続補正２３】
【補正対象書類名】図面
【補正対象項目名】図３３
【補正方法】削除
【補正の内容】
【手続補正２４】
【補正対象書類名】図面
【補正対象項目名】図３４
【補正方法】削除
【補正の内容】
【手続補正２５】
【補正対象書類名】図面
【補正対象項目名】図３５
【補正方法】削除
【補正の内容】
【手続補正２６】
【補正対象書類名】図面
【補正対象項目名】図３６
【補正方法】削除
【補正の内容】
【手続補正２７】
【補正対象書類名】図面
【補正対象項目名】図３７
【補正方法】削除
【補正の内容】
【手続補正２８】
【補正対象書類名】図面
【補正対象項目名】図３８
【補正方法】削除
【補正の内容】
【手続補正２９】
【補正対象書類名】図面
【補正対象項目名】図３９
【補正方法】削除
【補正の内容】
【手続補正３０】
【補正対象書類名】図面
【補正対象項目名】図４０
【補正方法】削除
【補正の内容】
【手続補正３１】
【補正対象書類名】図面
【補正対象項目名】図４１
【補正方法】削除
【補正の内容】
【手続補正３２】
【補正対象書類名】図面
【補正対象項目名】図４２
【補正方法】削除
【補正の内容】
【手続補正３３】
【補正対象書類名】図面
【補正対象項目名】図４３
【補正方法】削除
【補正の内容】
【手続補正３４】
【補正対象書類名】図面
【補正対象項目名】図４４
【補正方法】削除
【補正の内容】
【手続補正３５】
【補正対象書類名】図面
【補正対象項目名】図４５
【補正方法】削除
【補正の内容】